(57)【要約】【課題】ステンレスや人造大理石キッチンカウンターの問題点を解決する過程で、両者の特色をいかすことに留意し、高級感にあふれ、ユーザー指向型で多くのモジュールに対応することができるキッチンカウンターを提供する。【解決手段】シンク４が一体の天板５を、表面に樹脂成形型用樹脂組成物であるゲルコートの表面層を同時成形的に設けたＦＲＰで形成する。【選択図】図１
2006081823.tif 000002
【特許請求の範囲】
【請求項１】
シンクが一体の天板を、表面にゲルコートの表面層を同時成形的に設けた繊維強化プラスチック（ＦＲＰ）で形成したキッチンカウンター。
【請求項２】
上記ゲルコートが、エポキシ樹脂と不飽和一塩基酸とから得られるビニルエステル樹脂及び２個以上の（メタ）アクリロイル基含有単量体を含んでなるビニル単量体を含有してなる樹脂成形型用樹脂組成物である請求項１に記載のキッチンカウンター。
【請求項３】
上記ゲルコートが、エポキシ樹脂と不飽和一塩基酸とから得られるビニルエステル樹脂及び２個以上の（メタ）アクリロイル基含有単量体を含んでなるビニル単量体を含有してなる樹脂成形型用樹脂組成物に、紫外線吸収剤と無機顔料及び無機骨材を適量添加したものである請求項１に記載のキッチンカウンター。
【発明の詳細な説明】
【技術分野】
【０００１】
この発明は、生産コストが安価で多品種少量生産に適し、デザイン性及び高級感に優れた、シンク付き流し台のようなキッチンカウンターに関する。
【背景技術】
【０００２】
いわゆるシステムキッチンにおける従来のキッチンカウンターの天板、特に一般住宅用量産品として使用されている分野でのそれは、シンクを一体加工したステンレス又は、互いに組み合わせ使用する人造大理石とステンレスが材料である。
【０００３】
上記ステンレスは、住宅の調理スペースがいわゆる「台所」と称されていた時代、あるいはされている空間で常識的に使用されていた、あるいは使用されている素材として周知されている。
【０００４】
住空間における「台所」が専ら調理のスペースであって、外観や美観よりも堅牢性、耐久性が保障されればよいとされていた時代、或いは現代でも調理と食事が同居している住宅のダイニングキッチンでは、通常ステンレス流し台で十分であるとされてきたし、現下もされ続けている。
【０００５】
しかし近年のライフスタイルの変化、住宅のさらなる欧米化の加速により、住空間における調理、食事、団欒のスペースも変更、改善に迫られることになってきた。
【０００６】
いわゆるダイニングキッチン（ＤＫ）からリビングダイニング（ＬＤＫ）への移行である。
【０００７】
そこでスペース単価の高価な我が国の住環境を有効利用できる、つまり、収納と調理を同時的に行える住宅機器としてシステムキッチンが普及して久しいが、最近では、調理に加えて食事、団欒まで行える商品（対面型又はアイランド型システムキッチン）まで登場しつつある。
【０００８】
つまり、キッチン部分のデザインも従来の流し台と称される「道具」では不十分で、リビングダイニングの設計上からも、見た目にも美観を備えた「家具」のひとつといった位置付けをされる傾向となってきた。
【０００９】
また、外観的にも優れ、品質面でも過不足の認められない人造大理石カウンターは、このような事情により後述の問題点はあるものの急速に普及することになった。
【発明の開示】
【発明が解決しようとする課題】
【００１０】
ところで、上述したステンレスにおいては、もともと金属であるため、その堅牢性にはほとんど問題はなく、しかも低価格である。
【００１１】
しかし、この低価格は高価な金型に依存することにより、同一のデザインのカウンターをプレス成形という大量生産によりもたらされたものにすぎない。
【００１２】
現下のように、住宅及びそれに伴う住宅機器に要求される多様な消費者の好み、ニーズによって必然的にもたらされる少量多品種の供給要請あるいは商品寿命の短期化には対応が困難である。
【００１３】
その大きな理由は、金型投資が莫大であることによる。金型償却費の製品価格への反映を目立たなくするには、ひとえに供給の長期化か、もしくは旺盛な需要を必要とする。現下の社会情勢を考えると、そのような市場は相対的に減少しつつあり、事実淘汰は静かに進んでいる。
【００１４】
次に、後者の人造大理石は、その堅牢性、耐久性においてステンレスに劣る。耐久性では、原材料が金属素材と樹脂素材の物性の差異によりステンレスが勝り、素材が樹脂に水酸化アルミやガラス粉を混合した硬化物にすぎないことで、強度を保障する堅牢性においてもステンレスとでは明らかに差異がある。
【００１５】
つまり、物性面では、耐熱性、耐傷性、耐候性に、堅牢性では、耐衝撃性について限界があり、人造大理石製のキッチンカウンターを使用しようとするユーザに対して使用条件を提示し、一定の配慮を求めざるを得ない弱点が少なからず存在する。
【００１６】
しかし、デザイン性、加工性には極めて優れていることが特徴で、木工製品の如く板材を切断、研磨、接着して製品化できるための形状自由度に優れている。
【００１７】
ただし、原材料及び加工費が何れも高価格であることが最大の弱点で、その問題を克服するため、金型プレス成形に移行、大量生産によるコスト低減を図ろうとしている製品も販売されてはいる。
【００１８】
しかしそれは皮肉にも多品種少量生産、商品ライフの短期化、多様な形状の創出といった現下の市場の要請とは逆行することになっている。
【００１９】
また、食器や調理器具を洗ったりするためのシンクの部分は、ステンレスカウンターのように、天板と一体成形することは技術面において高難度で、たとえ実現し得たとしても高価格商品となるばかりでなく、前述のように、物性や強度について弱点を内包していること、とりわけ、シンク部にも適用するには不安が更にあり、様々の問題が生じることが予測される。
【００２０】
そのため、人造大理石カウンターのシンク部分については、通常はステンレス製、鉄板ホーロー製或いは陶器製のものを接着により組み付けているのが現状である。
【００２１】
そこで、この発明の課題は、ステンレスキッチンカウンター及び人造大理石キッチンカウンターの問題点を解決する過程で、両者の特色をいかすことに留意し、高級感にあふれ、ユーザー指向型で多くのモジュールに対応することができるキッチンカウンターを提供することにある。
【課題を解決するための手段】
【００２２】
上記のような課題を解決するため、請求項１の発明は、シンクが一体の天板を、表面にゲルコートの表面層を同時成形的に設けた繊維強化プラスチック（以下、ＦＲＰ）で形成した構成を採用したものである。
【００２３】
請求項２の発明は、請求項１の発明において、上記ゲルコートが、エポキシ樹脂と不飽和一塩基酸とから得られるビニルエステル樹脂及び２個以上の（メタ）アクリロイル基含有単量体を含んでなるビニル単量体を含有してなる樹脂成形型用樹脂組成物である構成を採用したものである。
【００２４】
請求項３の発明は、請求項１の発明において、上記ゲルコートが、エポキシ樹脂と不飽和一塩基酸とから得られるビニルエステル樹脂及び２個以上の（メタ）アクリロイル基含有単量体を含んでなるビニル単量体を含有してなる樹脂成形型用樹脂組成物に、紫外線吸収剤と無機顔料及び無機骨材を適量添加したものである構成を採用したものである。
【００２５】
ここで、キッチンカウンターにおける天板の形態としては、形状がストレートである壁付けＩ型、ダイニングルームのコーナに設置される壁付けＬ型、そしてポジションフリーのアイランド型とがあり、これら天板の適所にシンクが一体成形されている。
【発明の効果】
【００２６】
この発明によると、シンクが一体の天板を、表面にゲルコートの表面層を同時成形的に設けたＦＲＰで形成したので、生産コストが安価で多品種少量生産に適し、デザイン性及び高級感に優れた製品を得ることができる。
【００２７】
また、ＦＲＰの表面にゲルコートの表面層を同時成形的に設けたので、ＦＲＰによる強度の確保とゲルコートの高耐薬品性、耐熱性により、軽量で強度的に優れた理想のキッチンカウンターが得られる。
【００２８】
また、ＦＲＰの成形は自由度に富み、必要とする形状及び大きさの天板をシンクと一体に成形した状態で形成できるので、大きな天板でも継ぎ目のない天板となり、デザイン性と美観に優れたキッチンカウンターが得られる。
【発明を実施するための最良の形態】
【００２９】
以下、この発明の実施の形態を添付図面に基づいて説明する。
【００３０】
図示のように、キッチンカウンター１は、カウンター本体２の上に設ける表面材３が、シンク４が一体の天板５からなり、この表面材３が表面にゲルコートの表面層６を同時成形的に設けたＦＲＰ７で形成されている構造になっている。
【００３１】
上記表面層６に用いるゲルコートは、エポキシ樹脂と不飽和一塩基酸とから得られるビニルエステル樹脂及び２個以上の（メタ）アクリロイル基含有単量体を含んでなるビニル単量体を含有してなる樹脂成形型用樹脂組成物を主体に用いたものである。
【００３２】
このゲルコートの具体的な構成は、特開２００３−３２７６３６号公報で提示されているが、上記ビニルエステル樹脂がビスフェノール型エポキシ樹脂と不飽和一塩基酸とから得られるもの、前記ビニルエステル樹脂が数平均分子量４５０〜２５００のもの、上記、２個以上の（メタ）アクリロイル基含有単量体が分子中に（メタ）アクリロイル基を２〜６個有する単量体であるもの、前記２個以上の（メタ）アクリロイル基含有単量体がビニルエステル樹脂との合計に於いて３〜４０重量％含有するもの、前記２個以上の（メタ）アクリロイル基含有単量体を全単量体中３０重量％以上含有するものを用いる。
【００３３】
上記した樹脂成形型用樹脂組成物は、もともと高耐薬品性を有するものであるが、これをゲルコートに塗料化するに際して、耐候性向上のための紫外線吸収剤と、デザイン性、耐熱性及び耐衝撃性向上のために無機顔料及び無機骨材をそれぞれ適量添加することができる。
【００３４】
このようなゲルコートをＦＲＰの表面に同時成形的に設けて表面層を形成するには、シンク４と一体に天板５を成形する型の表面に塗料化したゲルコートを所定の厚みで塗布し、そのゲル化をまって、型内に溶融したＦＲＰを注入して成形することにより、ＦＲＰ７の表面にゲルコートの表面層６が密着した断面構造の天板５が得られることになる。
【００３５】
上記ＦＲＰ７は、もともと、大型成形品を軽量に、迅速に、少量であっても経済的に製作する手段として工業化されてきた経緯をもつ素材であり、成形にあたって使用する型は高価な金型などは不要で、安価な樹脂型で十分であり、それも製品と同様のＦＲＰを素材とすることで造出が可能である。
【００３６】
加えるに、要求の形状を木型で立体製作し、ＦＲＰにて転写すれば成形に可能な型ができるため、短納期で生産開始から量産に移行でき、このことから、市場ニーズである多様なモジュールへの対応、商品ライフの短縮による迅速なデザインリニューアルへの対応が可能である。
【００３７】
また、ＦＲＰ７は、強度面においてガラス繊維に樹脂を含浸させた構造であるため、強靭であり、その厚みが５ｍｍでステンレスの１．５ｍｍの強度をもたらし、重量は略同等である。
【００３８】
上記ゲルコートによる表面層６の厚みは、経済性や強度を考慮して０.１ｍｍ〜２ｍｍ、好ましくは０.５ｍｍ程度に設定すればよい。
【００３９】
この、ゲルコートによる表面層６は、その着色性、表面平滑性に優れているほか、平滑な高耐汚染性の高さ、耐温水性、耐薬品性などの優位性が、シンク４を備えたキッチンカウンター１の天板５の素材として最適であり、それは、キッチンカウンター１が多種におよぶ食材、調味料、その他の汚染物質に遭遇したり、食器、調理機器等の衝撃、熱攻撃に曝されるなど、他の水周り住宅設備機器とは前提条件が異なるからである。
【００４０】
上記のように、シンク４が一体の天板５の表面に、高耐薬品性を有する樹脂成形型用樹脂組成物をゲルコート化した表面層６を同時成形的に設けてキッチンカウンター１の表面材３としたので、ＦＲＰ７そのものが全体の強度を維持し、表面層６が高耐汚染性、耐温水性、耐薬品性、耐衝撃性を担うことになり、このようなキッチンカウンターの表面材は、補修が簡単で表面層６の修正を行えば、たちまち美しく現状を復元できるという利点がある。
【００４１】
ここで、この発明のキッチンカウンター１における天板５の物性を測定した評価結果を表１と表２に示す。
【００４２】
試験片は、表面より、上記樹脂成形型用樹脂組成物を用いたゲルコート層（０．３−０．５ｍｍ）、バリアコート層（０．３−０．５ｍｍ）、不飽和ポリエステル樹脂（大日本インキ株式会社製  ポリライトＦＨ−１１３）（♯４５０×３ｐｌｉｅｓ）によるＦＲＰ、合板補強の積層体である。
【００４３】
【表１】
2006081823.tif 000003
【００４４】
【表２】
2006081823.tif 000004
【００４５】
次に、キッチンカウンター１を用いたシステムキッチンの形態は、基本的に３種類に大別され、壁付けＩ型、壁付けＬ型、そしてポジションフリーのアイランド型があり、これら天板の適所にシンクが一体成形されている。
【００４６】
上記壁付けＩ型は、形状がストレートでシンクの位置が右と左に大別され、その位置も多肢にわたるが、ＦＲＰ７を用いた天板５は切断加工が容易であるため、現場対応が可能となる。
【００４７】
上記壁付けＬ型は、ダイニングルームのコーナに設置されるタイプであり、図１乃至図４に示すように、ＦＲＰ７を用いてＬ型の天板を一体成形することにより、溶接による天板のつなぎ合わせ部分がなくなり、溶接やこれに付随する研磨により生じた問題を解決できるだけでなく、外観の高級化を図ることができる。
【００４８】
上記アイランド型は、リビングダイニングルームの壁から離して設置され、島のように独立しているための愛称であり、図４のように、リビングダイニングルームの全方向から人目に曝されるため、最も家具的デザインの商品化が要望されるタイプであり、ＦＲＰ７を用いて天板５とシンク４を一体成形することにより、溶接によるつなぎ合わせ部分がなくなり、家具的な美観の優れた、キッチンカウンター１となる。
【００４９】
なお、ＦＲＰ７を用いた天板５に凹部分を形成し、この凹部分にタイル、薄い天然大理石等を象嵌状に埋め込むといった複合素材としての使用も可能である。
【図面の簡単な説明】
【００５０】
【図１】この発明にかかるキッチンカウンターの壁付けＬ型の例を示す斜視図
【図２】（ａ）は図１の平面図、（ｂ）は（ａ）の矢印ｂ−ｂの縦断面図
【図３】壁付けＬ型の天板を示す斜視図
【図４】この発明にかかるキッチンカウンターのアイランド型を示す平面図
【図５】表面材である天板の拡大した縦断面図
【符号の説明】
【００５１】
１      キッチンカウンター
２      カウンター本体
３      表面材
４      シンク
５      天板
６      表面層
７      ＦＲＰ
【図１】
2006081823.tif 000005
【図２】
2006081823.tif 000006
【図３】
2006081823.tif 000007
【図４】
2006081823.tif 000008
【図５】
2006081823.tif 000009